(57)【特許請求の範囲】
【請求項１】
複数の端子を有する電子部品と、この電子部品の端子に当接させる複数の測定接点と、この測定接点と測定器とを接続した弾性板よりなる接続体とを備え、前記測定接点を中部を軸支し、バネで押し上げられている後端側をレバーで押し下げることで可動自在にするとともに、この測定接点の軸支部近傍に前記接続体の一端側を接続し、この接続体の他端側を配線体に固定したインピーダンス測定装置。
【請求項２】
接続体の一端の測定接点の取付部より上方において、この接続体の他端を配線体に固定した請求項１に記載のインピーダンス測定装置。
【請求項３】
接続体をステンレス板によって形成した請求項１〜２のいずれか一つに記載のインピーダンス測定装置。
【請求項４】
板状の接続体をその中部において湾曲させるとともに、この接続体の一端側に対応する測定接点には切欠を設けた請求項１〜３のいずれか一つに記載のインピーダンス測定装置。
【請求項５】
板状の接続体をその中部において湾曲させるとともに、この接続体の他端側に対応する配線体には切欠を設けた請求項１〜４のいずれか一つに記載のインピーダンス測定装置。
【発明の詳細な説明】
【０００１】
【発明の属する技術分野】
本発明は電子部品のインピーダンスを測定するインピーダンス測定装置に関するものである。
【０００２】
【従来の技術】
従来におけるこの種のインピーダンス測定装置は、複数の端子を有する電子部品と、この電子部品の端子に当接させられる複数の測定接点と、この測定接点と測定器とを接続したリード線とを備え、前記測定接点を可動自在とし、電子部品のインピーダンス測定のためにその端子に測定接点を可動させて当接させるようになっていた。
【０００３】
【発明が解決しようとする課題】
上記従来例においては可動接点の可動のたびに、それに接続されたリード線が変形し、その態様が一定しないためにインピーダンス測定が安定して行えないという課題があった。
【０００４】
これは、特に小さなインピーダンスを有する電子部品の測定時においては大きな問題となっていた。
【０００５】
そこで本発明は特に低インピーダンス測定が正しく行えるようにすることを目的とするものである。
【０００６】
【課題を解決するための手段】
そしてこの目的を達成するために本発明は、複数の端子を有する電子部品と、この電子部品の端子に当接させられる複数の測定接点と、この測定接点と測定器とを接続した弾性板よりなる接続体とを備え、前記測定接点を中部を軸支し、バネで押し上げられている後端側をレバーで押し下げることで可動自在にするとともに、この測定接点の軸支部近傍に前記接続体の一端側を接続し、この接続体の他端側を配線体に固定したものであって、電子部品のインピーダンス測定のためにその端子に中部を軸支した測定接点を可動させて当接した場合に、その測定接点の軸支部近傍にその一端側を固定した接続体も測定接点の可動にともなって変形するが、この接続体は弾性板で形成しているため測定接点を電子部品の接点に当接させた場合の態様が都度略一定となるので、特に低インピーダンスの測定が正しく行えることになる。
【０００７】
【発明の実施の形態】
本発明の請求項１の発明は、複数の端子を有する電子部品と、この電子部品の端子に当接させる複数の測定接点と、この測定接点と測定器とを接続した弾性板よりなる接続体とを備え、前記測定接点を中部を軸支し、バネで押し上げられている後端側をレバーで押し下げることで可動自在にするとともに、この測定接点の軸支部近傍に前記接続体の一端側を接続し、この接続体の他端側を配線体に固定したインピーダンス測定装置としたものであって、電子部品のインピーダンス測定のためにその端子に中部を軸支した測定接点を可動させて当接した場合に、この測定接点にその一端側を固定した接続体も測定接点の可動にともなって変形するが、この接続体は弾性板で形成しているため測定接点を電子部品の接点に当接させた場合に態様が都度略一定となり、さらに測定接点の軸支部近傍に接続体の一端を取付けたことにより、測定接点を電子部品の端子に当接させるために可動させた場合でも、可動距離の少ない軸支部近傍に接続体の一端を取付けることにより、この接続体の変形度合が小さくなり、よってこの接続体の態様も一定となりやすく、インピーダンスの測定が正しく行えるという作用を奏する。
【０００９】
本発明の請求項２の発明は、接続体の一端の測定接点の取付部より上方において、この接続体の他端を配線体に固定した請求項１に記載のインピーダンス測定装置としたものであって、接続体の他端を配線体に固定した部分が接続体の一端を測定接点の取付部より上方側とすることにより、測定接点の可動時における接続体の変形度合を小さくすることができ、よってこの接続体の態様も一定となりやすく、これによりインピーダンスの測定が正しく行えるという作用を奏する。
【００１０】
本発明の請求項３の発明は、接続体とステンレス板によって形成した請求項１〜２のいずれか一つに記載のインピーダンス測定装置としたものであって、ステンレス板は硬くてそれ自体に弾性があり、しかも腐食しにくく、長期にわたって安定した形態を保ち、よって長期にわたるインピーダンス測定を安定させることができるという作用を奏する。
【００１１】
本発明の請求項４の発明は、板状の接続体をその中部において湾曲させるとともに、この接続体の一端側に対応する測定接点には切欠を設けた請求項１〜３のいずれか一つに記載のインピーダンス測定装置としたものであって、測定接点の可動にともなう接続体の変形時に、この接続体の一端側においてそれが測定接点に強く当接することがなくなり、これによりこの接続体の一端側における応力集中が生じず、この結果として長期にわたってインピーダンス測定が正しく行えるという作用を奏する。
【００１２】
本発明の請求項５の発明は、板状の接続体をその中部において湾曲させるとともに、この接続体の他端側に対応する配線体には切欠を設けた請求項１〜４のいずれか一つに記載のインピーダンス測定装置としたものであって、測定接点の可動にともなう接続体の変形時に、この接続体の他端側においてそれが配線体に強く当接することがなくなり、これによりこの接続体の他端側における応力集中が生じず、この結果として長期にわたってインピーダンス測定が正しく行えるという作用を奏する。
【００１３】
以下、本発明の一実施の形態を図面を用いて説明する。
【００１４】
本発明の実施の形態におけるインピーダンス装置は、図１に示すごとく複数の端子１を有する電子部品２と、この電子部品２の端子１に当接させられる複数の測定接点３〜６と、この測定接点３〜６と測定器（図２の７）とを接続した弾性板よりなる接続体８〜１１とを備え、前記測定接点３〜６を軸１２，１３によって可動自在にするとともに、この測定接点３〜６に前記接続体８〜１１の一端側をネジ１４によって接続するとともに固定し、この接続体８〜１１の他端側を絶縁体よりなる枠形状の配線体１５にネジ１６によって固定するとともに、測定器７からのリード線１７と電気的に接続している。
【００１５】
つまり、搬送ベルト１８によって間欠的に搬送される電子部品２のインピーダンス測定のために、その端子１に測定接点３〜６を下方に可動させて当接させ、その状態で測定器７でインピーダンス測定を行う。この場合、この測定接点３〜６にその一端側を固定した接続体８〜１１も測定接点３〜６の可動にともなって変形するが、この接続体８〜１１は弾性板で形成しているため測定接点３〜６を電子部品２の端子１に当接させた場合の態様が都度略一定となるので、インピーダンスの測定が正しく行えることになる。
【００１６】
また、前記測定接点３〜６はその中部が軸１２，１３によって軸支されており、この軸支部近傍の接続部３ａ〜６ａに接続体８〜１１の一端を取付けたものであって、測定接点３〜６の軸支部近傍に接続体８〜１１の一端を取付けたことにより、上述のごとく測定接点３〜６を電子部品２の端子１に当接させるために可動させた場合でも、可動距離の少ない軸支部近傍に接続体８〜１１の一端を取付けることにより、この接続体８〜１１の変形度合が小さくなり、よってこの接続体８〜１１の態様も一定となりやすく、これによりインピーダンスの測定が正しく行えることになるのである。
【００１７】
さらにこの図１に示すごとく接続体８〜１１の一端の測定接点３〜６の取付部より上方において、この接続体８〜１１の他端を配線体１５に固定しており、接続体８〜１１の他端を配線体１５に固定した部分が接続体８〜１１の一端を測定接点３〜６の取付部より上方側とすることにより、測定接点３〜６の可動時における接続体８〜１１の変形度合を小さくすることができ、よってこの接続体８〜１１の態様も一定となりやすく、これによりインピーダンスの測定が正しく行えることになるのである。
【００１８】
この点に関して図３を用いて説明すると（ａ）が本実施の形態を示し、その時の測定接点３〜６側の変位量を一点鎖線で示している。（ｂ）は本実施の形態の逆の場合を示し、測定接点３〜６側が上方になる場合を示しており、その時の測定接点３〜６側の変位量を同じく一点鎖線で示している。
【００１９】
これら（ａ）（ｂ）の比較から明らかなように（ａ）の方が変形度合を小さくすることができる。
【００２０】
また、前記接続体８〜１１はステンレス板によって形成しており、ステンレス板は硬質でそれ自体に弾性があり、しかも腐食しにくく、長期にわたって安定した形態を保ち、よって長期にわたるインピーダンス測定を安定させることができるのである。
【００２１】
さらにまた、前記板状の接続体８〜１１はその中部において図１に示すごとく湾曲させているが、この接続体８〜１１の一端側に対応する測定接点３〜６の接続部３ａ〜６ａには切欠Ａを設けており、測定接点３〜６の可動にともなう接続体８〜１１の変形時に、この接続体８〜１１の一端側においてそれが測定接点３〜６の接続部３ａ〜６ａに強く当接することがなくなり、これによりこの接続体８〜１１の一端側における応力集中が発生せず、この結果として長期にわたってインピーダンス測定が正しく行えるようになる。
【００２２】
また、同じく板状の接続体８〜１１の他端側に対応する配線体１５にも切欠Ｂを設けており、測定接点３〜６の可動にともなう接続体８〜１１の変形時に、この接続体８〜１１の他端側においてそれが配線体１５に強く当接することがなくなり、これによりこの接続体８〜１１の他端側における応力集中が発生せず、この結果として長期にわたってインピーダンス測定が正しく行えるようになるのである。
【００２３】
なお図１の１９はバネであり、測定接点３〜６の後端側をレバー２０で押下げて、この測定接点３〜６の先端側を持上げた場合には圧縮され、復帰時には伸びるようになっている。
【００２４】
次に図２の２１〜２３はそれぞれ測定器７内の交流源、ベクトル電圧計、ベクトル電流計で、これらは周知の四端子の対構成となっているので、この部分におけるインピーダンスはキャンセルされ、測定時における誤差や不安定要素にはならないようになっている。
【００２５】
しかし、それより前方の接続体８〜１１はその形状の変形によるインピーダンス変位の影響が出やすく、これに対応してこれらを上述のごとくステンレスの接続体８〜１１で形成したのが本実施の形態である。
【００２６】
なおまた、接続体８〜１１の構成材として、リン青銅板やポリイミド樹脂材によるフレキシブル配線板などを使用しても良い。
【００２７】
【発明の効果】
以上のように本発明は、複数の端子を有する電子部品と、この電子部品の端子に当接させられる複数の測定接点と、この測定接点と測定器とを接続した弾性板よりなる接続体とを備え、前記測定接点を中部を軸支し、バネで押し上げられている後端側をレバーで押し下げることで可動自在にするとともに、この測定接点の軸支部近傍に前記接続体の一端側を接続し、この接続体の他端側を配線体に固定したものであって、電子部品のインピーダンス測定のためにその端子に中部を軸支した測定接点を可動させて当接した場合に、この測定接点の軸支部近傍にその一端側を固定した接続体も測定接点の可動にともなって変形するが、この接続体は弾性板で形成しているため測定接点を電子部品の接点に当接させた場合の態様が都度略一定となるので、インピーダンスの測定が正しく行えるという効果を有する。
【図面の簡単な説明】
【図１】本発明の一実施の形態におけるインピーダンス測定装置の要部斜視図
【図２】同電気的ブロック図
【図３】（ａ）（ｂ）は本実施の形態の効果を説明する概念図
【符号の説明】
１  端子
２  電子部品
３  測定接点
３ａ  接続部
４  測定接点
４ａ  接続部
５  測定接点
５ａ  接続部
６  測定接点
６ａ  接続部
７  測定器
８  接続体
９  接続体
１０  接続体
１１  接続体
１２  軸
１３  軸
１４  ネジ
１５  配線体
１６  ネジ
１７  リード線
１８  搬送ベルト
Ａ  切欠
Ｂ  切欠
１９  バネ
２０  レバー
２１  交流源
２２  ベクトル電圧計
２３  ベクトル電流計
【図１】
0003692817.tif 000002
【図２】
0003692817.tif 000003
【図３】
0003692817.tif 000004